(57)【特許請求の範囲】
【請求項１】
二方向の空気を互いに交じり合うことなく交差させる直方体形状の熱交換手段を内蔵する換気装置において、
底面に開口部を有するケーシングと、
このケーシングの開口部を覆い、前記ケーシングに着脱可能なメンテナンスパネルと、
このメンテナンスパネルの前記ケーシングの開口部に相当する位置に、一辺を当接して載置された前記熱交換手段であって、その上側の面にフィルタが取り付けられた前記熱交換手段と、
前記メンテナンスパネルを水平状態のまま前記熱交換手段とともに前記ケーシングに対して昇降可能に保持する伸縮手段とを有することを特徴とする換気装置。
【請求項２】
メンテナンスパネルには排気口と給気口とが開口し、
換気装置は前記排気口から熱交換手段へ至る排気通風路と前記熱交換手段から前記給気口へ至る給気通風路とを仕切る風路仕切板を内蔵し、
この風路仕切板は前記熱交換手段とともに前記メンテナンスパネルに載置され、
伸縮手段は前記メンテナンスパネルを水平状態のまま前記熱交換手段及び前記風路仕切板と共に前記ケーシングに対して昇降可能に保持することを特徴とする請求項１に記載の換気装置。
【請求項３】
熱交換手段とメンテナンスパネルとはいずれか一方に凸部、他方にこの凸部がはめ込まれる凹部とを有し、
前記熱交換手段は、上下方向から前記凸部と前記凹部とをはめ込むことにより、前記メンテナンスパネルに載置されたことを特徴とする請求項１又は２に記載の換気装置。
【請求項４】
メンテナンスパネルに立設され熱交換手段を囲う周壁を備え、
凸部又は凹部はこの周壁内の前記メンテナンスパネル上に設けられたことを特徴とする請求項３に記載の換気装置。
【請求項５】
メンテナンスパネルは伸縮手段と着脱可能に設けられたことを特徴とする請求項１乃至４のいずれかに記載の換気装置。
【請求項６】
換気装置は熱交換手段を介して換気を行うための送風手段を有し、
前記送風手段はメンテナンスパネルのケーシングの開口部に相当する位置に前記熱交換手段と共に載置され、
伸縮手段は前記メンテナンスパネルを水平状態のまま前記熱交換手段及び前記送風手段と共に前記ケーシングに対して昇降可能に保持することを特徴とする請求項１乃至５のいずれかに記載の換気装置。
【請求項７】
部屋の天井に、二方向の空気を互いに交じり合うことなく交差させる直方体形状の熱交換手段を内蔵する換気装置を設置し、前記部屋の内部の空気と前記部屋の外部の空気とを熱交換をしながら換気を行う換気システムであって、
前記換気装置は
前記天井に設置され底面に開口部を有するケーシングと、
このケーシングの開口部を覆い前記ケーシングに着脱可能であるとともに、前記部屋の内部の空気を前記部屋の外部へ排気するための排気口及び前記部屋の外部の空気を前記部屋に給気するための給気口を備えたメンテナンスパネルと、
このメンテナンスパネルの前記ケーシングの開口部に相当する位置に、一辺を当接して載置された前記熱交換手段であって、その上側の面にフィルタが取り付けられた前記熱交換手段と、
前記メンテナンスパネルの前記ケーシングの開口部に相当する位置に載置され前記排気口から熱交換手段へ至る排気通風路と前記熱交換手段から前記給気口へ至る給気通風路とを仕切る風路仕切板と、
上記メンテナンスパネルを水平状態のまま前記熱交換手段及び前記風路仕切板ともに前記ケーシングに対して昇降可能に保持する伸縮手段とを有することを特徴とする換気システム。
【発明の詳細な説明】
【０００１】
【発明の属する技術分野】
この発明は、熱交換手段を内蔵する換気装置及びその換気装置を用いた換気システムに関するものである。
【０００２】
【従来の技術】
図１５は例えば特開平９−２０３５４７号公報に示された従来の熱交換手段を内蔵する換気装置を示す図であり、１０２はケーシング、１１３はこのケーシング１０２に蝶番によって一端を取付けられ、扉状に開閉可能な点検パネル、１０１はこの点検パネル１１３に固着された熱交換手段、１０６はこの熱交換手段１０１のフィルタ、１１４は天井の点検口をそれぞれ示すものである。
【０００３】
上記の様に構成された従来の換気装置は、熱交換手段１０１によって室内外の空気の熱交換を行いながら同時給排気により換気を行うものであり、室内の状態量変動の少ない換気を行うことができる。
【０００４】
【発明が解決しようとする課題】
上述のように、従来の換気装置においては、蝶番によって一端を固定した点検パネル１１３を扉状に下方に開放する構造としていた。このため、熱交換手段１０１やそのフィルタ１０６のメンテナンスを行うために点検パネル１１３を開放すると、埃等が落下することがあり、床面を汚してしまうという問題点があった。
【０００５】
本発明は、上記した問題点を解消するためになされたもので、換気装置のメンテナンス性を向上させることを目的とするものである。
【０００６】
【課題を解決するための手段】
この発明にかかる換気装置は、二方向の空気を互いに交じり合うことなく交差させる直方体形状の熱交換手段を内蔵する換気装置において、底面に開口部を有するケーシングと、このケーシングの開口部を覆い、ケーシングに着脱可能なメンテナンスパネルと、このメンテナンスパネルのケーシングの開口部に相当する位置に、一辺を当接して載置された熱交換手段であって、その上側の面にフィルタが取り付けられた熱交換手段と、メンテナンスパネルを水平状態のまま熱交換手段とともにケーシングに対して昇降可能に保持する伸縮手段とを有して構成されたものである。
【０００７】
また、この発明にかかる換気装置のメンテナンスパネルには排気口と給気口とが開口し、換気装置は排気口から熱交換手段へ至る排気通風路と熱交換手段から給気口へ至る給気通風路とを仕切る風路仕切板を内蔵し、この風路仕切板は熱交換手段とともにメンテナンスパネルに載置され、伸縮手段はメンテナンスパネルを水平状態のまま熱交換手段及び風路仕切板と共にケーシングに対して昇降可能に保持して構成されたものである。
【０００８】
さらに、この発明にかかる換気装置の熱交換手段とメンテナンスパネルとはいずれか一方に凸部、他方にこの凸部がはめ込まれる凹部とを有し、熱交換手段は、上下方向から前記凸部と前記凹部とをはめ込むことにより、工具を用いずにメンテナンスパネルから着脱できるようにメンテナンスパネルに載置されて構成されたものである。
【０００９】
また、この発明にかかる換気装置は、メンテナンスパネルに立設され熱交換手段を囲う周壁を備え、凸部又は凹部はこの周壁内の前記メンテナンスパネル上に設けられて構成されたものである。
【００１０】
また、この発明にかかる換気装置のメンテナンスパネルは伸縮手段と着脱可能に設けて構成されたものである。
【００１１】
さらに、この発明にかかる換気装置は熱交換手段を介して換気を行うための送風手段を有し、送風手段はメンテナンスパネルのケーシングの開口部に相当する位置に熱交換手段と共に載置され、伸縮手段はメンテナンスパネルを水平状態のまま熱交換手段及び送風手段と共にケーシングに対して昇降可能に保持して構成されたものである。
【００１２】
また、この発明にかかる換気システムは、部屋の天井に、二方向の空気を互いに交じり合うことなく交差させる直方体形状の熱交換手段を内蔵する換気装置を設置し、部屋の内部の空気と部屋の外部の空気とを熱交換をしながら換気を行うものであって、換気装置は天井に設置され底面に開口部を有するケーシングと、このケーシングの開口部を覆いケーシングに着脱可能であるとともに、部屋の内部の空気を部屋の外部へ排気するための排気口及び部屋の外部の空気を部屋に給気するための給気口を備えたメンテナンスパネルと、このメンテナンスパネルのケーシングの開口部に相当する位置に、一辺を当接して載置された熱交換手段であって、その上側の面にフィルタが取り付けられた熱交換手段と、メンテナンスパネルのケーシングの開口部に相当する位置に載置され排気口から熱交換手段へ至る排気通風路と熱交換手段から給気口へ至る給気通風路とを仕切る風路仕切板と、上記メンテナンスパネルを水平状態のまま熱交換手段及び風路仕切板ともにケーシングに対して昇降可能に保持する伸縮手段とを有して構成されたものである。
【００１３】
【発明の実施の形態】
図１〜３を用いてこの発明の実施の形態１にかかる熱交換手段を内蔵する換気装置の概略構成について説明する。図１はこの発明の実施の形態１にかかる熱交換手段を内蔵する換気装置の透視図、図２は図１に示す換気装置の平常時の様子を示す斜視図、図３は図１に示す換気装置のメンテナンス時の様子を示す斜視図である。
図において１はこの発明の実施の形態１にかかる熱交換手段を内蔵する換気装置である。この換気装置は熱交換の機能を有し、換気装置の設置された部屋１２０（図２参照）の内部の空気とこの部屋１２０の外部の空気とを熱交換しながら換気を行う換気システムの一部を構成する。２は上記換気装置１のケーシングである。このケーシング２は図２に示す吊り具２ｋによって吊り下げられ、部屋１２０の天井１２１に設置される。また、このケーシング２は図３に示すようにその底面２ｍに略４角形の開口部２ａを有する。３はこのケーシング２の開口部２ａを覆い、上記ケーシング２に着脱可能な略四角形のメンテナンスパネルである。このメンテナンスパネル３の着脱については後述する。３ａはこのメンテナンスパネル３に設けられ、部屋１２０の内部の空気を部屋１２０の外部へ排気するための排気口、３ｂは部屋１２０の外部の空気を部屋１２０に給気するための給気口である。また、５はメンテナンスパネル３の上記ケーシング２の開口部２ａに相当する位置に載置された熱交換手段である。この熱交換手段５は開口部２ａよりも小さいとともに、メンテナンスパネル３の略中央に寝かせて設置される。この熱交換手段５は詳細は省略するが多層構造で構成され、部屋１２０内から部屋１２０外に向かう空気と、部屋１２０外から部屋１２０内に向かう空気とが互いに交じり合うことなく交差し、湿度、温度等の交換を行うことができる。また１０ａは底面２ｍの開口部２ａ以外の部分である非開口部２ｃに載置された排気ファン、１０ｂはこの排気ファンの上部に設置された給気ファンである。この給気ファン１０ｂと排気ファン１０ａは熱交換手段５の側辺の一つである第２辺５ｂと当接する図示しない仕切り板によって互いに仕切られて設置される。また１１ａ及び１１ｂはそれぞれケーシング２に開口した排気ファン１０ａの室外側吹出口及び給気ファン１０ｂの室外側吸込口である。また、１３は上記熱交換手段５とともにメンテナンスパネル３に載置される風路仕切板である。この風路仕切板１３は一端が熱交換手段５の上記第２辺５ｂと対向する辺である第４辺５ｄに当接し、他端がメンテナンスパネル３の排気口３ａと給気口３ｂとの間に当接する断面Ｒ形状の仕切板である。この風路仕切板１３によって排気口３ａから熱交換手段５へ至る排気通風路１５ａと熱交換手段５から給気口３ｂへ至る給気通風路１５ｂとが仕切られて形成される。
【００１４】
さらに、７は上記メンテナンスパネル３を上記熱交換手段５及び風路仕切板１３とともに上記ケーシング２に対して昇降可能に保持する伸縮手段である。この実施の形態においては伸縮手段７には例えばリール式のものが採用されている。  図３の７ａは、この伸縮手段７の一部であり、ケーシング２の側面２ｊにおいて、開口部２ａの４隅それぞれの近傍に設けられた巻き取り機能を有するリール（図３参照）である。このリール７ａは埃等の巻き込みを防止するため図示しない筐体内に収容される。また７ｂは各リール７ａに一端を固定されるとともに巻き付けられ、他端をメンテナンスパネル３の４隅に固定されたワイヤ７ｂである。
【００１５】
このワイヤ７ｂは図２に示す平常運転時にはリール７ａに巻き付けられ、筐体内に収容されている。一方、図３に示すようなメンテナンス時においては、メンテナンスを行う作業員によってメンテナンスパネル３が引き下げられるのに従ってリール７ａが回転し、ワイヤ７ｂは筐体から所望の長さまで引き出される。この際リール７ａでは、巻き取り機能である図示しない螺旋状のスプリングが巻かれる。このため、作業員が作業を終了し、メンテナンスパネル３を図２に示すようにもとに戻したい場合には、このスプリングの復元力によってワイヤ７ｂは再びリール７ａに巻き取られる。尚、ワイヤ７ｂの長さは熱交換手段５をケーシング２の外部まで引き出せるだけの長さがあればよいが、部屋１２０の図示しない床面近傍にメンテナンスパネル３が届くまでの長さであってもよい。また、リール７ａにストッパの機能を持たせ、ワイヤ７ｂの長さの制限の下メンテナンスパネル３を任意の高さで固定し、あるいはその固定を解除することによりリール７ａの巻き取り機能を始動させることとしてもよいのは言うまでもない。
【００１６】
次に、熱交換手段５及び風路仕切板１３とメンテナンスパネル３との関係を図４及び図５を用いて説明する。図４は図１に示す換気装置の熱交換手段、風路仕切板及びメンテナンスパネルをばらした状態を示す斜視図である。図５は図１に示す換気装置の熱交換手段、風路仕切板及びメンテナンスパネルを組み立てた状態を示す斜視図である。図において５ａは熱交換手段５の側辺のうち、組み立て時にメンテナンスパネル３側に臨む辺である第１辺、５ｐはこの第１辺に沿って突設された凸部である第１の頂部である。また、５ｒは上述の第４辺５ｄにそって突設された凸部である第２の頂部である。さらに、５ｑは第１辺５ａと第４辺５ｄとに挟まれた面の端部と、第１辺５ａと第２辺５ｂとに挟まれた面の端部によって構成されるエッジ部である。
【００１７】
一方、２０はメンテナンスパネル３の周縁に沿って立設された周壁である。この周壁２０は図５に示す組み立て時において、メンテナンスパネル３に載置された熱交換手段５を囲うようにして設けられる。１７はこの周壁２０の中に設けられた凹部である第１の溝である。この第１の溝１７はメンテナンスパネル３に立設された２枚の板の間の空隙によって構成され、熱交換手段５の第１の頂部５ｐが組み立て時にはめ込まれる。また２０ａはこの第１の溝１７と周壁２０が交わる付近の周壁２０の内壁に設けられた凹部である窪み部である。この窪み部には組み立て時熱交換手段５のエッジ部５ｑがはめ込まれる。
【００１８】
また、１３ｂは風路仕切板１３に設けられた凹部である切り欠き部である。この切り欠き部１３ｂは風路仕切板１３の上端近傍に長手方向に沿って設けられる。この切り欠き部１３ｂには熱交換手段５の第２の頂部５ｒが組み立て時にはめ込まれる。
【００１９】
さらに、１３ａは風路仕切板１３に設けられた凸部である固定部である。この固定部１３ａは風路仕切板１３の断面Ｒ形状の面から延在する平板として形成される。一方１９はメンテナンスパネル３の周壁２０の中に設けられた凹部である第２の溝である。この第２の溝１９はメンテナンスパネル３に立設された２枚の板の間の空隙によって構成され、風路仕切板１３の固定部１３ａが組み立て時にはめ込まれる。
【００２０】
なお、１６は熱交換手段５に取り付けられるフィルタである。このフィルタ１６は熱交換手段５に設けられた図示しないガイドにはめ込まれ、工具を使用せずに着脱することが可能である。
【００２１】
次に、図６〜８を用いてこの発明の実施の形態１におけるメンテナンスパネル３のケーシング２の脱着の様子について説明する。図６は図１に示す換気装置のメンテナンスパネルの取外しの様子を示す斜視図である。図７は図１に示す換気装置のメンテナンスパネルがケーシングに取り付けられている状態を横から見た概念図である。図８は図１に示す換気装置のメンテナンスパネルがケーシングから取り外されている状態を横から見た概念図である。図において、３０はメンテナンスパネル３の排気口３ａに設けられた羽板である。この羽板３０は下方から押し上げることにより、扉状に上方に向って開放可能となるようにその一端を蝶番２９によって排気口３ａの縁に取付けられる。３１ａは図７に示すようにメンテナンスパネル３において排気口３近傍の周壁２０の外側に立設されたカギ状の第１の嵌合部、３１ｂはメンテナンスパネル３において第１の嵌合部３１ａと対向する位置の周壁２０の外側に立設された第２の嵌合部である。尚、図６では見やすいように周壁２０は省略している。また、図７、図８に示す３３はケーシングの側面２ｚに設けられ、第１の嵌合部の一端がはめ込まれるための溝３３ａを有する止め具である。
【００２２】
次に動作について説明する。
このように構成された換気装置１においては、平常運転中は図２に示されるようにメンテナンスパネル３がケーシング２の開口部２ａを塞いだ状態で固定される。この際には図７に示したように第１の嵌合部３１ａがケーシング２の止め具３３の溝３３ａにはめ込まれると共に、第２の嵌合部３１ｂの一端がパッケージ２の非開口部２ｃにおける開口部２ａの縁に当接されることにより、メンテナンスパネル３がケーシング２に固定されている。
【００２３】
一方、メンテナンス等を行う際には従業者は羽板３０を上方に押し上げ、排気口３ａを開放する。そして排気口３ａからケーシング２の内部に手を挿入し、第１の嵌合部３３ａの上端に手をかけ、内側にたわませて止め具３３から第１の嵌合部３１ａを外す。その後メンテナンスパネル３全体を図７における右下方向にずらして第２の嵌合部３１ｂもケーシング２の非開口部２ｃから外す（図８参照）。
【００２４】
こうしてメンテナンスパネル３がケーシング２から取外されると、メンテナンスパネル３を下に引き下げることが可能となる。メンテナンスパネル３はその４隅で伸縮手段７と固定されており、天井１２１とほぼ水平な状態のまま下方に引き下げることができる（図３参照）。
【００２５】
こうしてメンテナンスパネル３が下方に引き下げられた後、従業者によって熱交換手段５のメンテナンスが行われる。メンテナンスにあたっては図４に示すようにメンテナンスパネル３から風路仕切板１３及び熱交換手段５がドライバ、レンチ等の工具を用いることなく取外される。即ち、風路仕切板１３は熱交換手段５の第２の頂部５ｒから切り欠き部１３ｂが外されるとともに、メンテナンスパネル３の第２の溝１９から固定部１３ａが引き抜かれることにより、メンテナンスパネル３から分離される。更に、熱交換手段５はメンテナンスパネル３の第１の溝１７から第１の頂部５ｐが引き抜かれるとともに、メンテナンスパネル３の周壁２０に設けられた窪み部２０ａからエッジ部５ｑが引き抜かれることにより、メンテナンスパネル３から分離される。また、フィルタ１６も図示しないガイドから外されて、熱交換手段５から取り去ることができる。
【００２６】
メンテナンスが終了した後はこの操作と逆の操作を行うことにより、メンテナンスパネル３を、元の位置に戻すことができる。即ち、作業者によってフィルタ１６が熱交換手段５の図示しないガイドに装着されるとともに、熱交換手段５と風路仕切板１３がメンテナンスパネル３上に工具を用いることなく取付けられる。その後、リール７ａの巻き取り機能によってメンテナンスパネル３が上昇し、最後に嵌合部３１ａ及び第２の嵌合部３１ｂがそれぞれ止め具３３及びケーシング２の非開口部２ｃに嵌合する。これにより、メンテナンスパネル３がケーシング２に固定される。
【００２７】
このように構成された換気装置１では、メンテナンスパネル３と共に熱交換手段５及び風路仕切板１３を伸縮手段７によって略水平に昇降させることができる。このためメンテナンスパネル３を開放しても埃等が落下することが少ない。
また、メンテナンスパネル３を略水平に昇降させることができるため、熱交換手段５等をメンテナンスパネル３に凹凸のみで嵌合させて固定でき、ネジ等により固定しなくても良い。従ってメンテナンス時においても工具を用いることなくメンテナンスパネル３から熱交換手段５等をすぐさま分離することができる。即ち、掃除、点検等が容易に行えるようになり、メンテナンス性が向上する。
【００２８】
更に、この実施の形態では周壁２０で熱交換手段５を囲うとともに、この周壁２０の内壁に窪み部２０ａを設けて熱交換手段５のエッジ部５ｑと嵌合させることとしている。このため、メンテナンスパネル３の昇降時における熱交換手段５の安定性が増し、さらにメンテナンス性が向上する。また、メンテナンスパネル３の引き下げ時に塵等がフィルタ１６等からメンテナンスパネル３の上面に落ちたとしても、周壁２０があるためメンテナンスパネル３の外にその塵等が散るのを防止することができる。
【００２９】
尚、この実施の形態においては熱交換手段５が第１の頂部５ｐや、エッジ部５ｑによってメンテナンスパネル３の第１の溝１７、窪み部２０ａと嵌合し、風路仕切板１３が固定部１３ａによってメンテナンスパネル３の第２の溝１９と嵌合し、切り欠き部１３ｂで熱交換手段５の第２の頂部５ｒと嵌合する場合について説明した。しかしこの発明はこれに限定するものではなく、熱交換手段５やメンテナンスパネル３及び風路仕切板１３等組み合わされる部材のいずれか一方に凹部、他方にこの凹部がはめ込まれる凸部が設けられていればよい。即ち、工具を用いずに組み立てることができるものであれば何でも良い。
【００３０】
また、この実施の形態ではリール７ａをケーシング２側に固定し、ワイヤ７ｂをメンテナンスパネル３側に固定する場合について説明した。しかしこの発明はこれに限定する意ではなく、リール７ａをメンテナンスパネル３側に固定し、ワイヤ７ｂをケーシング２側に固定しても良い。この際には、各リール７aにワイヤ７ｂの巻戻しを制止し、メンテナンスパネル３を所望の高さに固定するためのスイッチを設けることにより、容易にメンテナンスパネル３の高さを調節することができる。
【００３１】
また、この実施の形態においては給気ファン１０ｂと排気ファン１０ａは風路の構成上上下に配置されているが、本発明はこの様な配置に限定されるものではない。
【００３２】
実施の形態２
図９、図１０はこの発明の実施の形態２にかかる換気装置の伸縮手段の様子を示す斜視図である。
図９において７ｄは伸縮手段７の他の例であるロッドを用いたロッドを備えた伸縮手段である。このロッドを備えた伸縮手段は下方に行くにしたがって径が漸次小さくなる筒状の複数の部材が入れ子状に設けられて構成される。７ｅはロッドを備えた伸縮手段７ｄの一端をメンテナンスパネル３の周壁２０の外側に取付ける取付け手段であるピンである。このピン７ｅは図８に示したようなメンテナンスパネル３のパッケージ２への取外しや取付けを考慮し、多少の回動が可能な状態で伸縮手段７ｄの一端を周壁２０に軸着する。伸縮手段７ｄの他端は図示はしないがケーシング２の内側側面上方において開口部２ａの四隅と対応する位置近傍に取付けられる。尚、この取付けも図８に示したようにメンテナンスパネル３の取外しや取付けを考慮し、多少の回動が可能な状態で軸着される。
また、図１０に示す７ｇは伸縮手段７の他の例であるレールを備えた伸縮手段である。このレールを備えた伸縮手段７ｇは幅が異なる断面矩形状の部材が、図示しないレールによって複数入れ子状に設けられて構成される。このレールを備えた伸縮手段７ｇもロッドを備えた伸縮手段７ｄ同様に取付け手段であるピン７ｈによって一端がメンテナンスパネル３の周壁２０の外側に軸着されると共に、他端がケーシング２の内側側面上方において開口部２ａの四隅と対応する位置近傍に軸着される。
【００３３】
また、図１１は図９に示す伸縮手段のメンテナンスパネル側への取付けの様子を示す斜視図である。図１２は送風手段のメンテナンスの様子を示す図である。図において７ｋはピン７ｅの抜け落ちを防止する固定手段である。この固定手段７ｋは、伸縮手段７ｄ及び周壁２０を貫通させたピン７ｅを周壁２０の内側で抜け落ちないように固定する。この固定手段７ｋとピン７ｅとは互いにレンチ等の工具等を用いることにより容易に取外しが可能なように構成される。尚、この図１１に示した構成は図１０に示したレールを備えた伸縮手段７ｇに関しても適用できる。
【００３４】
この実施の形態にかかる換気装置はロッドを備えた伸縮手段７ｄやレールを備えた伸縮手段７ｇを用いるためメンテナンスパネル３を引き降ろした際の安定性が増す。また実施の形態にかかる換気装置は図１１に示すように固定手段７ｋが工具等を用いて着脱可能に構成される。このため、図１２に示すように排気ファン１０ａや給気ファン１０ｂのメンテナンスを行う際には、メンテナンスパネル３を伸縮手段７ｄから取外し、脚立２００を立てることが可能となる。このため、更に換気装置のメンテナンス性が向上する。
【００３５】
また、この実施の形態ではパッケージ２に内蔵される排気ファン１０ａ、給気ファン１０ｂ、熱交換手段５等の部品の内、メンテナンス実施の間隔短く（例えば３ヶ月、半年、又は１年以内に一度等）頻繁にメンテナンスが必要な部品についてはメンテナンスパネル３と共に昇降可能とし、メンテナンス実施の間隔がそれらの部品に比べて長い部品はケーシング２側に固定することとしている。そして、このように両者を分離して、前者はメンテナンスパネル３の昇降によりメンテナンスを行い、後者はメンテナンスパネル３を伸縮手段７ｄから取外してメンテナンスを行うこととしている。その結果、メンテナンスパネル３の小型化が図れるとともに、伸縮手段７ｄ等の簡素化が図れるという効果がある。
【００３６】
なお、この実施の形態で説明した事項は実施の形態１でも適用が可能である。また、この実施の形態では伸縮手段の例としてロッドを備えた伸縮手段７ｄ、レールを備えた伸縮手段７ｇについて説明した。しかし、この発明はこれに限定する意ではなく、メンテナンスパネル３及びこれに載置された熱交換手段５等の重量に耐え得るとともに、メンテナンスパネル３をほぼ水平に昇降させることができるものであれば何でも良い。
【００３７】
なお、この実施の形態においては実施の形態１と異なる部分について説明し、同一または相当する部分については同一の符号を付す等してその説明を省略した。
【００３８】
実施の形態３
図１３はこの発明の実施の形態３にかかる換気装置の平常時の様子を示す斜視図、図１４は図１３に示す換気装置のメンテナンス時の様子を示す斜視図である。図において２ｔは換気装置１の底面に相当する部分のほぼ全面に開口した開口部である。即ち、換気装置１のケーシング２は側面２ｊ、２ｚ等と天面２ｐのみで構成され、底面にあたる部分が存在しない。この底面にあたる部分が開口部２ｔである。また、３ｔはこの開口部２ｔを覆うメンテナンスパネルである。このメンテナンスパネル３ｔには熱交換手段５及び風路仕切板１３に加えて、送風手段である排気ファン１０ａと給気ファン１０ｂとが載置されている。尚、排気ファン１０ａと給気ファン１０ｂとは開口部２ｔの外部に降ろすことができるように、開口部２ｔよりも小さい幅に構成される。また、１０ｃは排気手段１０ａに設けられた連絡口であり、平常時に室外側吹出し口１１ａと気密を保って接続される。同様に１０ｄは給気手段１０ｂに設けられた連絡口であり、平常時に室外側吸込口１１ｂと気密を保って接続される。
【００３９】
この実施の形態では熱交換手段５及び風路仕切板１３に加えて、排気ファン１０ａ及び給気ファン１０ｂもメンテナンスパネル３ｔに載置される。このため、伸縮手段７ｄによって排気ファン１０ａ及び給気ファン１０ｂも熱交換手段５及び風路仕切板１３とともに昇降させることができ脚立２００等が不要となる。このため、換気装置のメンテナンス性を向上させることができる。
【００４０】
尚、この実施の形態においては上記実施の形態と異なる部分について同一の番号を付す等してその説明を省略し、異なる部分について説明した。
【００４１】
【発明の効果】
この発明にかかる換気装置は、二方向の空気を互いに交じり合うことなく交差させる直方体形状の熱交換手段を内蔵する換気装置において、底面に開口部を有するケーシングと、このケーシングの開口部を覆い、ケーシングに着脱可能なメンテナンスパネルと、このメンテナンスパネルのケーシングの開口部に相当する位置に、一辺を当接して載置された熱交換手段であって、その上側の面にフィルタが取り付けられた熱交換手段と、メンテナンスパネルを水平状態のまま熱交換手段とともにケーシングに対して昇降可能に保持する伸縮手段とを有して構成されたものであり、換気装置のメンテナンス性を向上させることができる。
【図面の簡単な説明】
【図１】この発明の実施の形態１にかかる熱交換手段を内蔵する換気装置の透視図である。
【図２】図２は図１に示す換気装置の平常時の様子を示す斜視図である。
【図３】図１に示す換気装置のメンテナンス時の様子を示す斜視図である。
【図４】図１に示す換気装置の熱交換手段、風路仕切板及びメンテナンスパネルをばらした状態を示す斜視図である。
【図５】図１に示す換気装置の熱交換手段、風路仕切板及びメンテナンスパネルを組み立てた状態を示す斜視図である。
【図６】図１に示す換気装置のメンテナンスパネルの取外しの様子を示す斜視図である。
【図７】図１に示す換気装置のメンテナンスパネルがケーシングに取り付けられている状態を横から見た概念図である。
【図８】図１に示す換気装置のメンテナンスパネルがケーシングにから取り外されている状態を横から見た概念図である。
【図９】この発明の実施の形態２にかかる換気装置の伸縮手段の様子を示す斜視図である。
【図１０】この発明の実施の形態２にかかる換気装置の伸縮手段の様子を示す斜視図である。
【図１１】図９に示す伸縮手段のメンテナンスパネル側への取付けの様子を示す斜視図である。
【図１２】送風手段のメンテナンスの様子を示す図である。
【図１３】この発明の実施の形態３にかかる換気装置の平常時の様子を示す斜視図である。
【図１４】図１３に示す換気装置のメンテナンス時の様子を示す斜視図である。
【図１５】特開平９−２０３５４７号公報に示された従来の熱交換手段を内蔵する換気装置を示す図である。
【符号の説明】
１  換気装置、２  ケーシング、２ａ  開口部、２ｃ  非開口部、２ｍ  底面、２ｊ  側面、２ｐ  天面、２ｔ  開口部、２ｚ  側面、３  メンテナンスパネル、３ａ  排気口、３ｂ  給気口、３ｔ  メンテナンスパネル、５  熱交換手段、５ａ  第１辺、５ｂ  第２辺、５ｄ  第４辺、５ｐ  第１の頂部、５ｒ  第２の頂部、５ｑ  エッジ部、７  伸縮手段、７ａ  リール、７ｂ  ワイヤ、７ｄ  伸縮手段、７ｅ  ピン、７ｇ  伸縮手段、７ｋ  固定手段、１０ａ  排気ファン、１０ｂ  給気ファン、１０ｃ  連絡口、１０ｄ  連絡口、１１ａ  室外側吹出口、１１ｂ  室外側吸込口、１３  風路仕切板、１３ａ  固定部、１３ｂ  切り欠き部、１５ａ  排気通風路、１５ｂ  給気通風路、１６  フィルタ、１７  第１の溝、１９  第２の溝、２０  周壁、２０ａ  窪み部、２９  蝶番、３０  羽板、３１ａ  第１の嵌合部、３１ｂ  第２の嵌合部、３３  止め具、３３ａ  溝、１０１  熱交換手段、１０２  ケーシング、１０６  フィルタ、１１３  点検パネル、１１４  点検口、１２０  部屋、１２１  天井
【図１】
0004581285.tif 000002
【図２】
0004581285.tif 000003
【図３】
0004581285.tif 000004
【図４】
0004581285.tif 000005
【図５】
0004581285.tif 000006
【図６】
0004581285.tif 000007
【図７】
0004581285.tif 000008
【図８】
0004581285.tif 000009
【図９】
0004581285.tif 000010
【図１０】
0004581285.tif 000011
【図１１】
0004581285.tif 000012
【図１２】
0004581285.tif 000013
【図１３】
0004581285.tif 000014
【図１４】
0004581285.tif 000015
【図１５】
0004581285.tif 000016